(57)【特許請求の範囲】
【請求項１】
エレベータ昇降路の上側でガバナが取り付けられたガバナシーブと下側のテンショナシーブとの間にガバナロープが巻回されて、前記テンショナシーブは吊り下げられた重りにより伸張されると共に前記テンショナシーブの回転軸は揺動腕の先端に軸支され、前記揺動腕の基端は前記昇降路の固定側に揺動自在に軸支され、前記昇降路の固定側のスイッチが前記重りによる前記ガバナロープの一定長さ以上の伸張を検知するエレベータ用ガバナテンショナ装置であって、
前記揺動腕の前記基端の近傍に設けられて、前記重りにより前記揺動腕の前記先端が所定角度だけ下方に揺動したときに、前記スイッチの可動接点を押圧する押圧動作部と、
前記押圧動作部が前記スイッチの可動接点を押圧した状態を維持する状態維持部と、
を備えることを特徴とするエレベータ用ガバナテンショナ装置。
【請求項２】
前記スイッチは、前記揺動腕を揺動自在に固定する前記固定部材に取り付けられ、
前記押圧動作部は、前記揺動腕の前記先端の下方への揺動に応じた角度で回動する固定片と、前記固定片の回動に基づく押圧力により前記スイッチの接点を押圧する接触部と、を備え、
前記状態維持部は、前記接触部がその一隅に突出して形成されてこの突出する前記接触部の近傍で軸支されるカム部と、前記固定片の回動が所定の角度より大きくなったときにその回動に基づく押圧力から解除されて前記接触部の前記スイッチの接点への接触状態を前記カム部に維持させる重り部と、を備えることを特徴とする請求項１に記載のエレベータ用ガバナテンショナ装置。
【請求項３】
前記スイッチは、前記揺動腕を揺動自在に固定する前記固定部材に取り付けられ、
前記押圧動作部は、前記揺動腕の前記先端の下方への揺動に応じた角度で回動する固定片と、前記固定片の回動に基づく押圧力により前記スイッチの接点を押圧する接触部と、を備え、
前記状態維持部は、前記接触部がその一隅に突出して形成されてこの突出する前記接触部の近傍で軸支されるカム部と、前記固定片の回動に基づく押圧力により前記接触部の前記スイッチの接点への接触状態を維持する方向に前記カム部を付勢するバネ部と、を備えることを特徴とする請求項１に記載のエレベータ用ガバナテンショナ装置。
【請求項４】
前記スイッチは、前記揺動腕を揺動自在に固定する前記固定部材に取り付けられ、
前記押圧動作部は、前記揺動腕の前記先端の下方への揺動に応じて回動するカム部のカム面であり、
前記状態維持部は、前記カム部の前記カム面の延長上に形成され前記スイッチの前記接点が嵌合することによりこの可動接点との接触状態を保持する凹部と、前記カム部の一部分が突出した突出部を下方へ付勢する付勢部材と、を備えることを特徴とする請求項１に記載のエレベータ用ガバナテンショナ装置。
【請求項５】
前記スイッチは、前記揺動腕を揺動自在に固定する前記固定部材における前記揺動腕の基端の延長方向の所定位置にその可動接点を上にして取り付けられ、
前記押圧動作部は、前記揺動腕の延在方向に沿って前記基端の延長方向へ延びると共に前記揺動腕先端の下方への揺動に応じて上方へ回動する揺動腕側の固定片と、前記固定片の回動に係合する舌片を有し前記固定部材に軸支されたカム部の本体が前記固定片の回動に応じて回動することにより前記スイッチの前記可動接点を押圧するカム面を有するカム部と、を備え、
前記状態維持部は、前記カム部に形成された前記カム面の近傍に形成されて前記カム面に前記スイッチの接点との接触状態を維持させる凹部を備えることを特徴とする請求項１に記載のエレベータ用ガバナテンショナ装置。
【請求項６】
前記スイッチは、前記揺動腕を揺動自在に固定する前記固定部材に軸により回動自在に取り付けられると共に、前記基端側とは反対側に設けられた可動接点と、を備え、
前記押圧動作部は、前記揺動腕の延在方向に沿って前記基端の延長方向へ延びると共に前記揺動腕先端の下方への揺動に応じて上方へ回動する揺動腕側の固定片と、前記固定片に当接するように前記スイッチから前記基端側へ突出すると共に前記固定片の上方への回動に応じて上方へ回動するスイッチ側の舌片と、前記舌片の反対側の前記可動接点に対向して固定されると共に前記スイッチの回動に伴う前記可動接点の押圧を案内するカム面を有する固定カム部と、を備え、
前記状態維持部は、前記固定カム部に形成された前記カム面の近傍に形成されて前記接触部に前記スイッチの接点との接触状態を維持させる凹部を備えることを特徴とする請求項１に記載のエレベータ用ガバナテンショナ装置。
【発明の詳細な説明】
【技術分野】
【０００１】
本発明は、エレベータ用ガバナテンショナ装置に関し、特に、テンショナスイッチの構成に改良を加えたスイッチ機構付きのエレベータ用ガバナテンショナ装置に関する。
【背景技術】
【０００２】
図６は、特許文献１に記載された、従来のガバナテンショナを含むガバナ（調速機）の一例を示す正面図である。図６において、乗りかご１を支持するかご枠２の上部にはメインロープ３が接続され、建物の上部に設けられた巻上機の駆動により乗りかご１を昇降させる。かご枠２の上下左右の四隅に設けられたガイドシュー４は、左右一対のかご側ガイドレール５，５を摺動して乗りかご１の昇降を案内する。昇降路の上側にはガバナ６が設けられ、昇降路１９上部の機械室にはガバナシーブ７が設けられ、昇降路の底部側にはテンショナシーブ８が設けられ、ガバナシーブ７とテンショナシーブ８との間にはガバナロープ９が巻回される。
【０００３】
ガバナシーブ８には重り１０が吊り下げられてガバナロープ９に張力を付与する。左側のガイドレール５に固定されたブラケット１１には揺動腕１２の基端が揺動自在に軸支され、揺動腕１２の先端はテンショナシーブ８の回転軸に接続されるので、テンショナシーブ８および重り１０の上下動は許容しつつ水平方向の揺動は規制される。ガバナロープ９の途中には、かご枠２の上部のセーフティリンク１３の先端１３ａが接続され、セーフティリンク１３の左右には、一対のリフトロッド１４，１４の上端が取り付けられ、リフトロッド１４，１４の下端はかご枠２下部の左右にそれぞれ設けられた一対の非常止め装置１５，１５に取り付けられる。
【０００４】
上記構成において、乗りかご１の降下速度が所定値を超えると、ガバナ６が作動してガバナシーブ７の回転をロックさせる。このとき、ガバナロープ９の移動が停止した状態で乗りかご１が降下し続けるため、セーフティリンク１３の先端１３ａが持ち上げられて、左右一対のリフトロッド１４，１４が持ち上げられる。これにより、左右一対の非常止め装置１５，１５が作動して左右のガイドレール５，５を挟み込むため、乗りかご１の降下を停止できる。
【０００５】
図７は、図６の構成にスイッチ機構を設けた従来のガバナテンショナの一例を示す拡大正面図である。図７において、揺動腕１２の基端はガイドレール５に取り付けられたブラケット１１に、揺動腕１２の先端はガバナロープ９が巻回されたテンショナシーブ８に、それぞれ軸支される。ブラケット１１はレールクリップ５ａによりガイドレール５に締結される。ガバナテンショナの重り１０には、接触子１６が固定され、ガバナテンショナスイッチ１７はブラケット１８を介してレールクリップ５ａによりガイドレール５に締結されている。
【０００６】
重り１０のガイドレール５側には、ガバナテンショナスイッチ１７を切るための接触子１６が取り付けられているので、ガバナロープ９の伸張によりガバナテンショナの重り１０が降下すると、接触子１６がガバナテンショナスイッチ１７の可動接点１７ａに当接してスイッチを切断する。これにより、ガバナロープ９が所定量よりも緩んでガバナテンショナの重り１０が下降してもスイッチ１７を切ることによりガバナテンショナの位置を調整する。
【特許文献１】特開２００２−１７９３６１号公報
【発明の開示】
【発明が解決しようとする課題】
【０００７】
しかしながら、従来のスイッチ機構付きのエレベータ用ガバナテンショナ装置には、ガバナテンショナ本体としての重りと、テンショナスイッチとが分離して設けられているので、揺動腕の調整を含む本体側の調整とスイッチの取り付け位置との調整に手間を要し、部品の点数や取り付け工数が増えてしまうという問題がある。
【０００８】
また、従来の構成によれば、ガバナテンショナ本体が復帰した反動により同時にスイッチも復帰してしまうため、ガバナロープが伸張したままでスイッチを切断した状態を維持したい場合でもガバナテンショナが再起動してしまって正常に機能できなくなる虞があるという問題がある。
【０００９】
本発明は上記課題に鑑みてなされたものであり、部品点数や取り付け工数を削減できると共にガバナテンショナの停止状態を維持できるスイッチ機構付きガバナテンショナ装置を提供することを目的とする。
【課題を解決するための手段】
【００１０】
上記課題を解決するため、本発明に係るエレベータ用ガバナテンショナ装置は、エレベータ昇降路の上側でガバナが取り付けられたガバナシーブと下側のテンショナシーブとの間にガバナロープが巻回されて、前記テンショナシーブは吊り下げられた重りにより伸張されると共に前記テンショナシーブの回転軸は揺動腕の先端に軸支され、前記揺動腕の基端は前記昇降路の固定側に揺動自在に軸支され、前記昇降路の固定側のスイッチが前記重りによる前記ガバナロープの一定長さ以上の伸張を検知するエレベータ用ガバナテンショナ装置であって、前記揺動腕の前記基端の近傍に設けられて、前記重りにより前記揺動腕の前記先端が所定角度だけ下方に揺動したときに、前記スイッチの可動接点を押圧する押圧動作部と、前記押圧動作部が前記スイッチの可動接点を押圧した状態を維持する状態維持部と、を備えることを特徴とする。
【発明の効果】
【００１１】
本発明に係るスイッチ機構付きガバナテンショナ装置によれば、部品点数や取り付け工数を削減できると共にガバナテンショナの停止状態を維持できる
【発明を実施するための最良の形態】
【００１２】
以下、添付図面を参照しながら本発明に係るエレベータ用ガバナテンショナ装置の実施形態について詳細に説明する。図１ないし図５は、本発明の第１ないし第５実施形態を説明図であり、図６，図７における符号と同一符号を付したものは同一または相当する構成要素を示している。
【００１３】
各図に示された本発明に係るエレベータ用ガバナテンショナ装置２０は、エレベータ昇降路１９の上側でガバナが取り付けられたガバナシーブと下側のテンショナシーブとの間にガバナロープが巻回されて、テンショナシーブは吊り下げられた重りにより伸張されると共にテンショナシーブの回転軸は揺動腕の先端に軸支されている。
【００１４】
図１（ａ）に示すように、揺動腕２２の基端２２ａは、昇降路１９に設けられた固定部材２１側に揺動軸２２ｃにより揺動自在に軸支され、昇降路１９の固定部材２１側のスイッチ２４が重りによるガバナロープの一定長さ以上の伸張を検知する。この基本的な構成については、図６および図７で説明した従来のエレベータ用ガバナテンショナ装置と同様である。
【００１５】
本発明に係るエレベータ用ガバナテンショナ装置２０においては、図１（ａ）に示すように、揺動腕２２の基端２２ａの近傍に、押圧動作部２５と状態維持部２９とが設けられている。押圧動作部２５は、重りにより揺動腕２２の先端２２ｂが揺動軸２２ｃを中心として所定角度だけ下方に揺動したときに、スイッチ２４の可動接点２４ａを押圧する。状態維持部２９は、押圧動作部２５がスイッチ２４の可動接点２４ａを押圧した状態を維持する。各実施形態に共通するこの基本構成について、第１ないし第５実施形態を用いて、より詳細に説明する。
【００１６】
［第１実施形態］
図１（ａ）（ｂ）（ｃ）に示された第１実施形態においては、固定部材２１は、昇降路１９内に設けられたガイドレール５にレールクリップ５ａにより固定されている。この固定部材２１には、揺動腕２２が軸２３により揺動自在に固定されている。スイッチ２４は揺動腕２２の基端２２ａの近傍に、その可動接点２４ａを揺動腕２４側に向けて取り付けられている。図１に示された構成では、スイッチ２４は揺動腕２２の基端２２ａ側の下に可動接点２４ａを上方に向けて固定されている。
【００１７】
押圧動作部２５は、揺動腕２２の先端２２ｂの下方への揺動に応じた角度で揺動腕２２と共に回動すると共にブラケット２７により揺動腕２２と一体的な動作を保持される固定片２６と、固定片２６の回動に基づく押圧力によりスイッチ２４の可動接点２４ａを押圧する接触部２８ａを備える。
【００１８】
また、状態維持部２９は、突出接触部２８ａがその一隅から矩形状に突出形成されると共にこの突出接触部２８ａの近傍を軸２８ｂにより軸支される変形カム部２８と、固定片２６の回動が所定の角度より大きくなったときに、その回動に基づく押圧力から解除されて、突出接触部２８ａがスイッチ２４の可動接点２４ａに接触したままの状態を変形カム部２８に維持させる重り部２８ｃとを備える。
【００１９】
以上の構成を有する第１実施形態のエレベータ用ガバナテンショナ装置の動作について説明する。まず、図１（ａ）に示すような揺動腕２２の基端２２ａと先端２２ｂとを結ぶ線が水平な状態から重りの重量により下方へと揺動する。この揺動に伴い揺動腕２２に一体に取り付けられた固定片２６の下方突出角部がカム部２８の突出する突出接触部２８ａを下方へ押圧して、スイッチ２４の可動接点２４ａを押圧してスイッチ２４が切られる。
【００２０】
揺動腕２２がさらに下方へ揺動されると、図１（ｂ）に示すように、変形カム部２８は軸２８ｂを中心に図では反時計方向に回動し続けて、ある一定の角度以上を回動すると、重り部２８ｃの重量により、重り部２８ｃが垂直方向に垂れ下がり、図１（ｃ）に示すように、スイッチ２４の可動接点２４ａの押圧状態を維持する。
【００２１】
図１（ｃ）のように、可動接点２４ａの押圧状態は、変形カム部２８の重り部２８ｃの重量と突出接触部２８ａにより維持される。このようにして、揺動腕２２の下方への付勢が解除されて揺動腕２２の先端２２ｂが上方へ戻っても、重り部２８ｃの重量により突出接触部２８ａはスイッチ２４の可動接点２４ａを押圧し続ける。
【００２２】
以上のように、第１実施形態によれば、スイッチ２４の可動接点２４ａを揺動腕２２と連動する変形カム部２８の重り部２８ｃの重量により押圧すると共に、この状態を維持させることによりガバナテンショナの重りが揺動腕２２を上方へ戻したときでも、スイッチ２４が切れた状態を維持できる。
【００２３】
［第２実施形態］
次に、図２を参照しながら、第２実施形態に係るエレベータ用ガバナテンショナ装置について説明する。図２に示す第２実施形態のガバナテンショナ装置２０においては、スイッチ２４は、揺動腕２２を揺動自在に固定する固定部材２１に取り付けられる。第２実施形態では、押圧動作部２５は、揺動腕２２の先端２２ｂの下方への揺動に応じた角度で揺動腕２２と一体に回動する固定片２６と、固定片２６の回動に基づく押圧力に付勢されてスイッチ２４の可動接点２４ａに接触して押圧する接触部２８ａと、を備える。
【００２４】
接触部２８ａは、軸２８ｂにより回動自在に軸支されたカム部２８を構成しており、このカム部２８の一部は略々水平状態の揺動腕２２に沿う方向に突出する突片２８ｃを備える。第２実施形態の状態維持部２９は、カム部２８の突片２８ｃと、カム部２８の接触部２８ａと共に押圧動作部２５を構成する固定片２６の回動に基づく押圧力に付勢されて接触部２８ａがスイッチ２４の可動接点２４ａの接触状態を維持する方向にカム部２８を付勢するバネ部２９ａと、を備える。
【００２５】
第２実施形態は、カム部２８の突片２８ｃを付勢するバネ部２９ａを備えるので、揺動腕２２が復帰した後もスイッチ２４の接点２４ａの押圧状態を維持することができ、この接点２４ａの押圧を解除するためには、バネ部２９ａのバネ定数により調整することができる。
【００２６】
［第３実施形態］
次に、図３を参照しながら、第３実施形態に係るエレベータ用ガバナテンショナ装置について説明する。図３に示す第３実施形態のガバナテンショナ装置２０においては、スイッチ２４は、揺動腕２２を揺動自在に固定する固定部材２１に取り付けられる。第３実施形態においては、押圧動作部２５は、揺動腕２２の先端２２ｂの下方への揺動に応じて軸２８ｂを中心として回動するカム部２８のカム面２８ａである。このカム面２８ａよりなる接触部が、カム部２８の回動に基づく押圧力に付勢されてスイッチ２４の可動接点２４ａに接触して押圧する。
【００２７】
また、状態維持部２９は、接触部のカム面２８ａの延長上に形成されスイッチ２４の可動接点２４ａが嵌合することにより可動接点２４ａとの接触状態を維持したまま保持する凹部２８ｄと、カム部２８の一部分が突出した突出部２８ｅを下方へ付勢するブラケット２７と、を備える。このブラケット２７は、カム部２８の一部分が突出した突出部２８ｅを下方へ付勢する付勢部材である。
【００２８】
この第３実施形態によれば、カム面２８ａと凹部２８ｄを有するカム部２８のみで構成でき、スイッチの押圧状態を維持する機構を簡単な構成とすることができる。
【００２９】
［第４実施形態］
次に、図４を参照しながら、第４実施形態に係るエレベータ用ガバナテンショナ装置について説明する。図４の第４実施形態のガバナテンショナ装置２０では、スイッチ２４は揺動腕２２を揺動自在に固定する固定部材２１における揺動腕２２の基端２２ａの延長方向の所定位置に、可動接点２４ａを上にして取り付けられる。
【００３０】
また、揺動腕２２の基端２２ａには、揺動腕２２の延在方向に沿って基端２２ａから延長する方向へ延びる固定片３０が設けられている。また、基端２２ａに対向する位置に、カム部２８がその下面にカム面２８ａを有して軸２８ｂにより回動自在に設けられ、カム面２８ａの延長側には凹部２８ｄが形成されている。カム部２８の基端２２ａ側にはその固定片３０と係合する舌片２８ｅが設けられている。
【００３１】
固定片３０，舌片２８ｅは、カム部２８の本体下側にスイッチ２４の可動接点２４ａと対向して形成されたカム面２８ａと共に、スイッチ２４の可動接点２４ａに接触して押圧する押圧動作部２５を構成する。また、カム面２８ａに近傍に形成された凹部２８ｄは、スイッチ２４の可動接点２４との接触状態を維持させる状態維持部２９となっている。
【００３２】
揺動腕２２の先端２２ｂの下方への揺動に応じて基端２２ａが上方へ回動すると、基端２２ａの固定片３０が舌片２８ｅに係合し、固定部材２１に軸支されたカム部２８が固定片３０の回動に応じて回動することによりスイッチ２４の可動接点２４ａに接触してこれを押圧する。また、カム部２８がさらに回動すると、可動接点２４ａがカム面２８ａ近傍の凹部２８ｄに嵌合してスイッチ２が切られた状態を維持する。
【００３３】
［第５実施形態］
次に、図５を参照しながら、第５実施形態に係るエレベータ用ガバナテンショナ装置について説明する。図５に示す第５実施形態のガバナテンショナ装置２０においては、スイッチ２４は、揺動腕２２を揺動自在に固定する固定部材２１に回動自在に取り付けられる。具体的には、回動板３１に固定され、この回動板３１は軸３２により固定部材２１に回動自在に取り付けられる。回動板３１は、揺動腕２２の基端２２ａ側に設けられた固定片３０と係合する舌片３３を有する。スイッチ２４は、揺動腕２２の基端２２ａ側とは反対側に可動接点２４ａを備える。
【００３４】
スイッチ２４の可動接点２４ａの近傍には、固定カム部３４が固定される。この固定カム部３４の可動接点２４ａ側には、回動板３１の回動に基づいてスイッチ２４が回動するときに可動接点２４ａが当接して押圧されるカム面３４ａが形成され、このカム面３４ａの近傍には可動接点２４ａの所定角度回動した後、カム面３４ａを滑った可動接点２４ａが嵌合する凹部３４ｂが形成されている。
【００３５】
この構成において、基端２２ａに設けられた固定片３０は、揺動腕２２の延在方向に沿ってその延長方向へ延びると共に揺動腕２２の先端２２ｂの下方への揺動に応じて上方へ回動するので、固定片３０に当接するようにスイッチ２４を取り付けた回動板３１から基端２２ａ側へ突出する舌片３３は、固定片３０の上方への回動に応じて上方へ回動する。
【００３６】
固定カム部３４は、スイッチ２４側の舌片３３の反対側に、可動接点２４ａに対向するカム面３４ａを有しているので、回動板３１およびスイッチ２４の回動に伴って可動接点２４ａを押圧するように案内する。このカム面３４ａの近傍には、可動接点２４ａとの係合部としての凹部３４ｂを有するので、この凹部３４ｂがスイッチ２４の可動接点２４ａの押圧状態を維持させる。
【００３７】
以上のようにして、第５実施形態においても、揺動腕２２の揺動によりテンショナスイッチ２４の可動接点２ａが切断されると共に、揺動腕２２の急激な戻り動作があってもスイッチ２４の可動接点２４ａの押圧状態が維持されるので、部品点数や取り付け工数を削減できると共にガバナテンショナの停止状態を維持できるスイッチ機構を提供する。
【図面の簡単な説明】
【００３８】
【図１】第１実施形態のエレベータ用ガバナテンショナ装置の揺動腕を（ａ）水平位置、（ｂ）揺動動作中の位置、（ｃ）揺動完了位置でそれぞれ示す正面図。
【図２】第２実施形態のエレベータ用ガバナテンショナ装置を示す正面図。
【図３】第３実施形態のエレベータ用ガバナテンショナ装置を示す正面図。
【図４】第４実施形態のエレベータ用ガバナテンショナ装置を示す正面図。
【図５】第５実施形態のエレベータ用ガバナテンショナ装置を示す正面図。
【図６】従来のガバナとガバナテンショナ装置の全体を示す正面図。
【図７】従来のエレベータ用ガバナテンショナ装置を示す正面図。
【符号の説明】
【００３９】
６  ガバナ
７  ガバナシーブ
８  テンショナシーブ
９  ガバナロープ
１０  重り
１９  昇降路
２０  ガバナテンショナ装置
２１  固定部材
２２  揺動腕
２２ａ  基端
２２ｂ  先端
２４  スイッチ
２４ａ  可動接点
２５  押圧動作部
２６  固定片
２８  変形カム部
２８ａ  突出接触部
２８ｂ  軸
２８ｃ  重り部
２８ｄ  凹部
２９  状態維持部
【図１】
0004936386.tif 000002
【図２】
0004936386.tif 000003
【図３】
0004936386.tif 000004
【図４】
0004936386.tif 000005
【図５】
0004936386.tif 000006
【図６】
0004936386.tif 000007
【図７】
0004936386.tif 000008